(57)【要約】【課題】広告情報や風景絵等を描いてある表示シートを、簡単に着脱・交換でき、表示シートをムラなく均一に照明できるコストの安価なバックライト装置、表示装置及び水生動植物鑑賞装置を提供すること。【解決手段】面発光シート１は、一面が発光面（１１）となっており、ホルダ２は、表示シート挿入部２１〜２３を有し、面発光シート１の発光面の側に配置されている。表示シート５は、光透過性を有し、ホルダ２の表示シート挿入部２１〜２３に差し込まれ、面発光シート１の発光面の前面に配置されている。【選択図】図３
2010044156.tif 000002
【特許請求の範囲】
【請求項１】
面発光シートと、ホルダとを含むバックライト装置であって、
前記面発光シートは、一面が発光面となっており、
前記ホルダは、表示シート挿入部を有し、前記面発光シートの前記発光面の側に配置されている、
バックライト装置。
【請求項２】
バックライト装置と、表示シートとを含む表示装置であって、
前記バックライト装置は、面発光シートと、ホルダとを含んでおり、
前記面発光シートは、一面が発光面となっており、
前記ホルダは、表示シート挿入部を有し、前記面発光シートの前記発光面の側に配置されており、
前記表示シートは、光透過性を有し、前記ホルダの前記表示シート挿入部に差し込まれ、前記面発光シートの前記発光面の前面に配置されている、
表示装置。
【請求項３】
表示装置と、水槽とを含む水生動植物鑑賞装置であって、
前記表示装置は、バックライト装置と、表示シートとを含んでおり、
前記バックライト装置は、面発光シートと、ホルダとを含んでおり、
前記面発光シートは、一面が発光面となっており、
前記ホルダは、表示シート挿入部を有し、前記面発光シートの前記発光面の側に配置されており、
前記表示シートは、光透過性を有し、前記ホルダの前記表示シート挿入部に差し込まれ、前記面発光シートの前記発光面の前面に配置されており、
前記表示装置は、前記表示シートが前記水槽の外壁面に向き合うようにして、前記水槽に組み合わされている、
水生動植物鑑賞装置。
【発明の詳細な説明】
【技術分野】
【０００１】
本発明は、バックライト装置、このバックライト装置を用いた表示装置及び水生動植物鑑賞装置に関する。
【背景技術】
【０００２】
一般的な宣伝用広告装置として、広告情報を印刷又は描画した表示板の背面に、蛍光灯などのバックライトを配置したものがよく知られている。この宣伝用広告装置では、バックライトから分離して、表示板だけを取り替えることは予定していない。仮に、取替えが可能な構造であっても、取替え作業が面倒で、長時間を要する。
【０００３】
また、宣伝用広告装置の別の例として、例えばレストランなどのメニュー表示装置などもある。これらの表示装置においても、メニュー表示板の取替え作業を、簡易に行うような構造にはなっていない。
【０００４】
しかも、バックライトとして、蛍光灯などを用いているため、表示板上の明るさにムラがある。このようなことは、宣伝広告として、望ましいことではない。
【０００５】
更に、熱帯魚などの観賞魚、水生植物或いはその他のアクア・アクセサリを入れた水槽の鑑賞性を高める手段として、水槽の外壁に、背景絵を描いたバック・スクリーンシートを配置した水槽が知られている（例えば、特許文献１〜５）。
【０００６】
しかし、特許文献１〜４に開示されたものは、水槽の水を通して見るバック・スクリーンシートの背景絵が、どうしても不鮮明になる。蛍光灯などの照明灯を用いて水槽を照明する手段も開示されているが、水槽の上側から照明するシステムになっており、背景絵の鮮明化に対する寄与度が低い。
【０００７】
しかも、バックス・クリーンシートを取り替える場合、まず、使用中のバック・スクリーンシートを水槽などから剥離し、次に新しいバック・スクリーンシートに粘着剤や接着剤を塗布して、水槽に貼着するという作業が必要であり、バックス・クリーンシートの交換作業が面倒である。また、剥離した後に残る接着剤や粘着剤の残渣が、新しく貼着された背景絵の品質を低下させる。
【０００８】
特許文献５に開示された技術では、ＨＤＤやＤＶＤプレーヤー等の映像再生装置や、薄型モニターが必要であるため、コスト高になる。
【特許文献１】特開平８−９８２３号公報
【特許文献２】特開平８−９８２４号公報
【特許文献３】実用新案登録第３００８９３５号
【特許文献４】実用新案登録第３０７８７１４号
【特許文献５】実用新案登録第３０７８７１４号
【発明の開示】
【発明が解決しようとする課題】
【０００９】
本発明の課題は、広告情報や風景絵等を描いてある表示シートを簡単に着脱・交換できるバックライト装置、表示装置及び水生動植物鑑賞装置を提供することである。
【００１０】
本発明のもう１つの課題は、表示シートをムラなく均一に照明しえるバックライト装置、表示装置及び水生動植物鑑賞装置を提供することである。
【００１１】
本発明の更にもう１つの課題は、映像再生装置などを用いる場合と比較して、コストを著しく低減しえるバックライト装置、表示装置及び水生動植物鑑賞装置を提供することである。
【課題を解決するための手段】
【００１２】
上述した課題を解決するため、本発明に係るバックライト装置は、面発光シートと、ホルダとを含む。前記面発光シートは、一面が発光面となっており、前記ホルダは、表示シート挿入部を有し、前記面発光シートの前記発光面の側に配置されている。
【００１３】
本発明に係るバックライト装置は、表示シートと組み合わせされて、表示装置を構成する。前記表示シートは、光透過性を有し、前記ホルダの前記表示シート挿入部に差し込まれ、前記面発光シートの前記発光面の前面に配置されている。
【００１４】
表示シートは、光透過性を有し、面発光シートの発光面の前面に配置されているから、面発光シートから照射された光によって照明され、表示シート上の広告情報や風景絵等が、上述した照明によって浮き彫りになり、鮮明に表示される。しかも、面発光シートによって表示シートを照明するから、表示シートが、その全面にわたってムラなく均一に照明され、広告情報や風景絵等が鮮明に表示されることになる。
【００１５】
更に、ホルダは表示シート挿入部を有しており、表示シートは表示シート挿入部に差し込まれ、表示シート挿入部により、非接着状態で支持されるから、広告情報や風景絵等を描いてある表示シートを簡単に着脱・交換できる。
【００１６】
また、表示シートを、面発光シートによって照明することにより、表示シート上に描いてある広告情報や風景絵等を表示するものであるから、ＨＤＤやＤＶＤプレーヤー等の映像再生装置や、薄型モニターを用いる従来品と比較して、著しく安価になる。
【００１７】
本発明は、上述した表示装置の典型的な応用例として、水生動植物鑑賞装置を開示する。この水生動植物鑑賞装置は、本発明に係る表示装置と、水槽とを組み合わせたものである。前記表示装置は、前記表示シートが前記水槽の外壁面に向き合うようにして、前記水槽の外壁面に装着されている。
【００１８】
従って、風景絵等を描いてある表示シートを簡単に着脱・交換できるとともに、表示シートをムラなく均一に照明しえ、しかも、映像再生装置などを用いる場合と比較して、コストを著しく低減しえる水生動植物鑑賞装置を提供することができる。
【発明の効果】
【００１９】
以上述べたように、本発明によれば、次のような効果を得ることができる。
（ａ）広告情報や風景絵等を描いてある表示シートを簡単に着脱・交換できるバックライト装置、表示装置及び水生動植物鑑賞装置を提供することができる。
（ｂ）表示シートをムラなく均一に照明しえるバックライト装置、表示装置及び水生動植物鑑賞装置を提供することができる。
（ｃ）映像再生装置などを用いる場合と比較して、コストを著しく低減しえるバックライト装置、表示装置及び水生動植物鑑賞装置を提供することができる。
【発明を実施するための最良の形態】
【００２０】
図１は、本発明に係るバックライト装置の分解斜視図、図２は、図１に示したバックライト装置の完成状態を示す斜視図である。本発明に係るバックライト装置は、面発光シート１と、ホルダ２とを含む。面発光シート１としては、有機ＥＬ（Organic Electro Luminescence）、無機ＥＬ、ＬＥＤ（Light Emitting Diode)を用いることができる。このうち、無機ＥＬを用いたものが特に適している。無機ＥＬは、電圧をかけると発光する硫化亜鉛などの無機物を利用したもので、100〜200Ｖ、１kHz程度の交流電圧をかけて発光させる。無機ELを用いた面発光シート１は、薄型で、しかも、低電力で高い輝度を得ることができ、視認性、応答速度、寿命、消費電力の点でも優れている。更に、有機ＥＬやＬＥＤを用いた面発光シートとの対比において、コスト的優位性がある。
【００２１】
図示実施例では、無機ELを用いた面発光シート１を示し、発光層を、その両面からポリプロピレンフィルム１１、１２で覆った構造となっている。面発光シート１には、コネクタ部１３が突出して備えられており、このコネクタ部１３を、外部のインバータ装置（図示しない）に接続し、必要な交流電圧を印加する。
【００２２】
面発光シート１は、背面に補強シート３の一面が面接合されている。補強シート３は、プラスチック、ガラス又は金属などの薄板によって構成される。この実施例に示す面発光シート１は、上述したように、発光層を、その両面からポリプロピレンフィルム１１、１２で覆った構造となっている。ポリプロピレンフィルム１１、１２は、難接着性であるので、面発光シート１の裏面のポリプロピレンフィルム１２と補強シート３との接合にあたっては、両面粘着シート４を用いる。両面粘着シート４であれば、難接着性であるポリプロピレンフィルム１２であっても、強力に接合できる。両面粘着シート４は、ポリプロピレンフィルム１２の全面に接合するように配置するのが、接合力の強化、及び、耐水性という観点から好ましい。
【００２３】
ホルダ２は、表示シート挿入部２１〜２３を有し、面発光シート１の発光面の側（ポリプロプレンフィルム１１の側）に配置されている。ホルダ２は、プラスチック又は金属材料のなどによって構成することができる。図示のホルダ２は、金属材料で構成され、面発光シート１の発光面の周辺を縁取る枠状となっていて、面発光シート１の発光面に接合されている。ホルダ２と面発光シート１との接合に当たっても、両面粘着シートを用いることができる。
【００２４】
ホルダ２は、枠状ではなく、透明なプラスチックシートで構成することもできる。表示シート挿入部２１〜２３は、ホルダ２の適当な位置に配置される。図示の表示シート挿入部２１〜２３は、Ｌ状であって、ホルダ２の左右枠部及び下枠部の３箇所に分散して配置されている。
【００２５】
上述したように、図示のバックライト装置では、面発光シート１の背面に、補強シート３の一面が面接合されており、しかも、面発光シート１の周辺が、ホルダ２によって支持されているから、通常は、薄くて撓み易く機械的強度の弱い面発光シート１が、補強シート３およびホルダ２によって補強される。この結果、面発光シート１の平面性が保たれ、ムラのない均一な面発光を確保することができる。
【００２６】
本発明に係るバックライト装置は、表示シート５と組み合わせされて、表示装置を構成する。この表示装置は、水生動植物鑑賞装置のみならず、宣伝用広告装置やレストランなどのメニュー表示装置などに用いることができる。図３及び図４にその一例を示す。
【００２７】
図３、図４において、表示シート５は、光透過性を有し、ホルダ２の表示シート挿入部２１〜２３に、図３の矢印Ｆ１で示すように差し込まれ、面発光シート１の発光面の前面に配置される。表示シート５は、透明なプラスチックフィルムで構成され、その表面又は裏面に、広告情報、メニュー等が表示されている。広告情報及びメニュー等は、図形、絵、写真もしくは文字又はそれらの組み合わせで表現されたものである。表示シート５は、、１枚であってもよいし、複数枚を重ねたものであってもよい。更に、光学フィルタを重ねたものであってもよい。
【００２８】
表示シート５は、光透過性を有し、面発光シート１の発光面の前面に配置されているから、面発光シート１から照射された光によって照明され、表示シート５上の広告情報やメニュー等が、上述した照明によって浮き彫りになり、鮮明に表示される。しかも、面発光シート１によって表示シート５を照明するから、表示シート５が、その全面にわたってムラなく均一に照明され、広告情報やメニュー等が鮮明に表示されることになる。
【００２９】
更に、ホルダ２は、表示シート挿入部２１〜２３を有しており、表示シート５は、周辺が表示シート挿入部２１〜２３に差し込まれ、表示シート挿入部２１〜２３により、非接着状態で支持されているから、広告情報やメニュー等を描いてある表示シート５を簡単に着脱・交換できる。
【００３０】
また、表示シート５を、面発光シート１によって照明することにより、表示シート５上に描いてある広告情報やメニュー等を表示するものであるから、ＨＤＤやＤＶＤプレーヤー等の映像再生装置や、薄型モニターを用いる従来品と比較して、著しく安価になる。
【００３１】
本発明は、上述した表示装置６の典型的な応用例として、水生動植物鑑賞装置を開示する。図５にその一例を示してある。図示の水生動植物鑑賞装置は、本発明に係る表示装置６と、水槽７とを組み合わせたものである。表示装置６は、表示シート５が水槽７の外壁面に向き合うようにして、水槽７の外壁面に装着されている。表示装置６を水槽７の外壁面に装着する手段として、表示装置６を構成するホルダ２の表示シート挿入部２１〜２３など、適当な位置に両面粘着テープを貼り付けておき、この両面粘着テープを利用して装着する構成が考えられる。水槽７には、熱帯魚などの観賞魚、水生植物或いはその他のアクア・アクセサリを入れてあり、表示シート５には、水槽７の鑑賞性を高めるような背景絵が描かれている。
【００３２】
上述した水生動植物鑑賞装置によれば、背景絵等を描いてある表示シート５を簡単に着脱・交換できるとともに、表示シート５をムラなく均一に照明して鑑賞効果を高め、しかも、映像再生装置などを用いる場合と比較して、コストを著しく低減しえる水生動植物鑑賞装置を提供することができる。
【００３３】
以上、好ましい実施の形態を参照して本発明の内容を具体的に説明したが、本発明の基本的技術思想及び教示に基づいて、当業者であれば、種々の改変態様を採り得ることは自明である。
【図面の簡単な説明】
【００３４】
【図１】本発明に係るバックライト装置の分解斜視図である。
【図２】図１に示したバックライト装置の完成状態を示す斜視図である。
【図３】本発明に係る表示装置の分解斜視図である。
【図４】図３に示した表示装置の完成状態を示す斜視図である。
【図５】本発明に係る水生動植物鑑賞装置の斜視図である。
【符号の説明】
【００３５】
１                    面発光シート
２                    ホルダ
２１〜２３                    表示シート挿入部
３                    補強シート
５                    表示シート
６                    表示装置
７                    水槽
【図１】
2010044156.tif 000003
【図２】
2010044156.tif 000004
【図３】
2010044156.tif 000005
【図４】
2010044156.tif 000006
【図５】
2010044156.tif 000007